(57)【要約】【課題】  特に置敷きタイプに適用して有用な、具体的には、支持脚の配置態様を、従来の施工態様に比べて大幅に省力化できるようにした二重床パネル用の支持脚ユニットと、当該ユニットを用いた二重床パネルの施工方法を提供すること。【解決手段】  １枚の矩形の床パネルＰの四隅を夫々に下から支える支持脚体１，２，３，４を、結合体を介して連結一体化することにより支持脚ユニットULに形成すると共に、前記の各支持脚体１，２，３，４が、隣接される床パネルの支持脚体11，21，31，41と対向する外側面において結合できるように形成したこと。【選択図】図１
2008121299.tif 000002
【特許請求の範囲】
【請求項１】
１枚の矩形の床パネルの四隅を夫々に下から支える支持脚体を、結合体を介して連結一体化することにより支持脚ユニットに形成すると共に、前記の各支持脚体が、隣接される床パネルの支持脚体と対向する外側面において結合できるように形成したことを特徴とする二重床パネルの支持脚ユニット。
【請求項２】
各支持脚体は、支持するパネルの対角線上において帯状結合体により連結一体化された請求項１の二重床パネルの支持脚ユニット。
【請求項３】
支持脚ユニットは、各脚ユニットが備えた支持脚体の外側面において、雌雄の嵌合乃至係合関係により支持脚ユニット同士を連結するための連結部を備えた請求項１又は２の二重床パネルの支持脚ユニット。
【請求項４】
相互に連結された４つの支持脚体が１枚の床パネルの四隅を支持すると共に、当該４つの支持脚体の左右の外側面に、前記パネルの左右に隣接して敷設される２枚の床パネルにおける、夫々に隣接する一側辺の上，下の隅部を支える支持脚体を連結状態で並設した請求項１〜３のいずれかの二重床パネルの支持脚ユニット。
【請求項５】
２つの支持脚体が並設された各支持脚体は、１枚の床パネルの隅部側縁が挿入されると共に、隣接して敷設される他の床パネルの隅部側縁が挿入される支持溝部が形成された請求項４の二重床パネルの支持脚ユニット。
【請求項６】
２つの支持脚体が並設されて帯状結合体により対角線上で連結された支持脚ユニットの複数個を、各支持脚ユニットにおける帯状結合体がなす各対角線を一直線をなすように床面に並べて配置する工程と、その配置の際に、各支持脚ユニット同士において対向する支持脚体同士を雌雄関係により連結する工程と、該工程により規則的に配置された４つを一組とする各支持脚体ごとに床パネルを載架支持させる工程とによって、床面に床パネルを敷詰めることを特徴とする二重床パネルの施工方法。
【請求項７】
各支持脚ユニットには、当該脚ユニットの４つの支持脚体に支持される床パネルをセットして床面に配置する請求項６の二重床パネルの施工方法。
【請求項８】
床面に連結されて配置された支持脚ユニットの左右側エンドにおいて、そこに配置される床パネルを支持するための支持脚体が無い部位に、当該支持脚体に代わり前記床パネルの側端を支持する係止部を備えたエンドチャンネルを配置する請求項６又は７の二重床パネルの施工方法。
【発明の詳細な説明】
【技術分野】
【０００１】
本発明は置敷き式と称される二重床パネルの支持脚ユニットとその支持脚ユニットを用いた当該床パネルの施工方法に関する、具体的には、床パネルの四隅を支持する４つの支持脚を連結して１個の部品として扱えるようにユニット化した支持脚ユニットと、この支持脚ユニットを用いた二重床パネルの施工方法に関する。
【背景技術】
【０００２】
最近のオフィス等のＯＡ化の進展に伴い、そのための自由な床下配線を可能にする二重床パネルが、多種多様の構造，形態の床パネルとして提案され、かつ、各方面においても活用されているが、近時、建物の床に多少の不陸や凹凸があっても、高さ調節機能を備えない支持脚を用いて施工の容易性を優先した、いわゆる置敷きタイプと称される二重床が、特許文献１〜３にもあるように多く用いられるようになった。
【０００３】
この置敷きタイプの二重床には、集合した４枚の床パネル（以下、単にパネルということもある）の集合した隅部を支持する１個のブロック状をなす支持脚を用い、使用する支持脚の個数を少なくするように工夫したものがある。
【０００４】
しかし、４枚の集合したパネルの集合隅部を１個の支持脚で支持するタイプの床パネルの施工は、当該支持脚を予め床の上にパネルの大きさに合せて規則的に並べ、その脚の上にパネルを設置していく施工形態であるため、特に支持脚の規則的配置に多大な手間と時間を要するという難点があった。
【特許文献１】特開２００５−２９０８７４号公報
【特許文献２】特開平９−６０２６４号公報
【特許文献３】特許第３２３６７９４号公報
【発明の開示】
【発明が解決しようとする課題】
【０００５】
そこで本発明では、特に置敷きタイプに適用して有用な、具体的には、支持脚の配置態様を、従来の施工態様に比べて大幅に省力化できるようにした二重床パネル用の支持脚ユニットと、当該ユニットを用いた二重床パネルの施工方法を提供することを課題とする。
【課題を解決するための手段】
【０００６】
上記課題を解決することを目的としてなされた本発明支持脚ユニットの構成は、１枚の矩形の床パネルの四隅を夫々に下から支える支持脚体を、結合体を介して連結一体化することにより支持脚ユニットに形成すると共に、前記の各支持脚体が、隣接される床パネルの支持脚体と対向する外側面において結合できるように形成したことを特徴とするものである。
【０００７】
上記構成において、床パネル四隅の各支持脚体は、そのパネルの対角線上において、一例として帯状結合体により連結一体化されたものである。各支持脚体は、合成樹脂や金属などの単一素材で形成することが望ましいが、これらに限られるものではない。また、支持脚ユニットは、各脚ユニットが備えた支持脚体の外側面において、雌雄の嵌合乃至係合関係により、支持脚ユニット同士を連結可能にした構成を具備している。ここで、各支持脚体の結合体による連結一体化の結合パターンは、パネルの対角線状、つまり、Ｘ状のほか、口字状或は口字状とＸ状を併用した形態など、４つの支持脚体を一体に連結できる帯状結合体であればよい。さらに、結合体としては、前記支持脚体と同材質の、又は、異なる材質の帯状材，棒状材，平板状材などにより形成したものがある。
【０００８】
また、本発明の支持脚ユニットは、相互に連結されて一個の部品とされた４つの支持脚体が１枚の床パネルの四隅を支持すると共に、当該４つの支持脚体の左右外側面に、左右の隣に敷設される２枚の床パネルにおける、夫々に隣接する一側辺の上，下の隅部を支える支持脚体を連結状態で並設した構成を具備したものもある。
【０００９】
さらに、上記支持脚ユニットにおいて、２つの支持脚体が並設された各支持脚体は、１枚の床パネルの隅部側縁が挿入されると共に、隣接して敷設される他の床パネルの隅部側縁が挿入される支持溝部が形成された構成を備えている。
【００１０】
上記の構成を備えた本発明支持脚ユニットを用いた本発明による二重床パネルの敷設工法の構成は、２つの支持脚体が並設されて帯状結合体により対角線上で連結された支持脚ユニットの複数個を、各支持脚ユニットにおける帯状結合体がなす各対角線を一直線をなすように並べて配置する工程と、その配置の際に、各支持脚ユニット同士において対向する支持脚体同士を雌雄関係により連結する工程と、該工程により規則的に配置された４つを一組とする各支持脚体ごとに床パネルを載架支持させる工程とによって、床面に床パネルを敷詰めることを特徴とするものである。
【発明の効果】
【００１１】
本発明では、置敷きタイプの二重床用のパネルの四隅の下に配置される支持脚を、１枚の矩形の床パネルの四隅を夫々に下から支える４つの支持脚体を、帯状などの結合体を介して連結一体化することにより支持脚ユニットに形成すると共に、前記の各支持脚体が、隣接される床パネルの支持脚体と対向する外側面において結合できるように形成したので、一枚のパネルについて四隅（４箇所）に配置すべき支持脚を一度の作業で配設でき、従って、敷設工事を大巾に省力化できる。また、支持脚ユニットの構成部材を合成樹脂製、或は、軽金属製の単一素材で形成すると、当該ユニットの重量を大幅に軽減できるので、配設作業や運搬，保管などにおいても、従来品に比べ省力化に大きく寄与する。
【発明を実施するための最良の形態】
【００１２】
次に本発明の実施の可能例について、図を参照して説明する。
図１は本発明支持脚ユニットの一例の平面図、図２は図１の脚ユニットの正面図、図３は図１の脚のユニットの右側面図、図４は一対（ペア）に形成された本発明支持脚ユニットにおける支持脚体の拡大平面図、図５は図４の正面図、図６は図４の縦断正面図、図７は図４〜図６の支持脚体にパネルを１枚セットした状態の正断面図、図８は図７の支持脚体に２枚のパネルをセットして保持舌片が変形した状態の正断面図、図９は対面した支持脚体同士を結合するための構造を例示した拡大平面図、図10は図９の支持脚体同士が結合した例の拡大平面図、図11は床パネルをセットした図１の支持脚ユニットの敷設パターンの一例を示す平面図、図12は床パネルをセットしない支持脚ユニットの配置パターンの例を示す平面図、図13は図１の支持脚ユニットに１枚の床パネルを載置セットした状態の平面図、図14は図13の正面図、図15は図13の右側面図、図16はエンドチャンネルとその使用例を示す斜視図、図17は図16におけるＡ−Ａ矢視拡大断面図である。
【００１３】
図１〜図５において、１〜４は、１枚の床パネルＰ（図10参照）の下面側の四隅に配置されて、当該パネルＰをその四隅において下面から支持する４つの支持脚体で、ここでは平面から見て大略四角形を呈するように、一例として合成樹脂材料で成形した４つの中空ブロック状本体を、一枚の床パネルＰの下面四隅に位置付けて配置した状態において、各ブロック状本体を対角線上で結ぶ態様で結合する平面Ｘ状をなす平帯状の結合体５（以下、単に結合体５ともいう）によって結合一体化している。本発明において上記の支持脚体１〜４は、合成樹脂材以外の材料、例えば金属で形成したものでもよく、また、形態も平面視大略四角形状に限られるものではない。三角形や１／４円形、或は、その他の平面形状であってもよい。要は、外面に隣のパネルを支える支持脚体との連結部（後述する）が形成できる形状であれば足りる。さらに、結合体５も、平帯状に限られず、パイプを含む棒状材や四隅部以外の各辺を内部側に凹陥させた形態の平板材などを用いることができる。結合体５は、撓み性を具備したものであると、支持脚体が結合されていても床の不陸や凹凸に柔軟に追従できる。
【００１４】
本発明では、上記の４つの支持脚体１〜４と結合体５によって連結し一体化された支持脚体１〜４の連結体を、支持脚ユニットULという。
そして、上記の支持脚ユニットULは、上記構成に加え、図１〜図３に例示したように、図１における各支持脚体１〜４の左右の外側面に、この支持脚ユニットULに支持される床パネルＰに図１の左右側でそれぞれに隣り合う２枚のパネルＰ（図示せず）において、一方のパネルＰの右側辺側と、他方のパネルＰの左側辺側との、それぞれの隅部側縁を支持する支持脚体11，21、同31，41を、間に適宜幅の隙間ｇを支持溝部として介し下端の底部ｂで連結した態様で具備している。なお、各支持脚体11〜41は、上記の支持脚体１〜４と同じ中空ブロック状で、内部に補強リブ（図６〜図８に符号3b，31bで示す）を備えている。また、隙間ｇの幅は、一例として２枚のパネルＰの２つの側縁を一緒に密に挿入できる程度の幅である。さらに、両脚体を連結した底部ｂは、切り込み線（図示せず）などを入れて、後から互に切り離しできるようにしてもよい。
【００１５】
即ち、図１の支持脚ユニットULにおける支持脚体１の左側には、当該脚体１と対称な形態で支持脚体11が、同じ要領で支持脚体２の左側には支持脚体21が、それぞれ間に隙間ｇを介し下端部が結合して設けられている一方、支持脚体３の右側には当該脚体３と対称な形態で支持脚体31が、同じ要領で支持脚体４の右側には支持脚体41が、それぞれ隙間ｇを介し下端部において結合して設けられている。なお、各支持脚体１〜４と、各脚体１〜４に一体に並設された各支持脚体11〜41の上面略中心には、円形の浅いドーム状の膨出部1a〜4a、同11a〜41aが形成されている。これらの膨出部1a〜4a、同11a〜41aは、載置されるパネルＰに加わる衝撃を緩和するための緩衝部である。
【００１６】
本発明では、上記支持脚ユニットULにおいて、各支持脚体１〜４が、その左右の外側面に、隣接して敷設される他のパネルを支える支持脚体11〜41を、隙間ｇを介して底部ｂで結合してそれぞれに備えた支持脚ユニットも、本発明支持脚ユニットULの一形態である。
【００１７】
次に、上記支持脚ユニットULにおいて、結合並設されている各支持脚体１と11，同２と21，同３と31，同４と41の対（ペア）となる各支持脚体の隙間ｇを介した結合態様について、図１〜図３、並びに、図４，図５を参照して説明する。
隙間ｇを介してそれぞれに結合された２つの支持脚体１，11、同２，21、同３，31、同４，41の各隙間ｇは、上述したように、２枚のパネルＰの四隅における立壁状側縁の２枚分が密に挿入できる左右幅に形成されている。
【００１８】
然るに、一個の支持脚ユニットUL単体では、４つの支持脚体１〜４の夫々の左右外側に隙間ｇを介して隣接パネル用の支持脚体11，21，31，41が結合された形態を備えている、つまり、隙間ｇが２枚のパネルの側縁を同時に挿入できる幅に形成されてはいるが、この隙間ｇは、敷設前においては、１枚のパネルＰしかセットできない。
【００１９】
即ち、本発明における床パネルの敷設工事の際、パネル２枚分の側縁を挿入できる幅の隙間ｇを有する一つの支持脚ユニットULの前記隙間ｇに１枚のパネルＰを支持させてセットしても、当該パネルをセットした脚ユニットULを床上に配置しようとすると、パネルＰから支持脚ユニットULが落下してしまう。換言すれば、１枚のパネルＰの四隅の側縁と一個の支持脚ユニットULにおける各支持脚体１〜４の隙間ｇは、単に２枚のパネルＰの２つの側縁に見合う幅を有する隙間ｇが設けられているだけの構成では、その隙間ｇに１枚のパネルＰの四隅の側縁を挿入したセットした状態で当該パネルＰを空中に持上げると、当該パネルＰと支持脚ユニットULの結合関係（保持関係）は維持できない。
【００２０】
そこで、本発明では、上記支持脚ユニットULの各隙間ｇにおける上方部位に、１枚のパネルＰにおける１つの立壁状の側縁に弾力的に当接することにより、当該側縁に支持脚ユニットULを保持させるための保持舌片６を、２枚目のパネルの側縁が当該隙間ｇに挿入されることによって、切り離されるか、又は、変形するように設けた（図４〜図６参照）。
【００２１】
上記の保持舌片６の構成を備えた支持脚ユニットULでは、その各支持脚体１〜４に１枚のパネルＰをセットすると各隙間ｇが当該１枚のパネルＰにおける四隅の側縁に、前記舌片６の弾性力によって挟持された状態になる（図６，図７参照）。従って、図11に例示するように、１枚のパネルＰをセットした支持脚ユニットULを一つの飛ばし形態で市松模様状乃至千鳥格子状に配置すると、セットしたパネルＰがある部分とパネルＰがない部分とが千鳥格子状をなして床面上に配置される。
【００２２】
なお、パネルＰを具備しない（セットしていない）本発明支持脚ユニットULのみであっても、図12に例示するパターンにパネルＰをセットしない支持脚ユニットULのみを配置し、この後、各支持脚ユニットULの夫々の支持脚体にパネルＰを載置支持させる敷設態様を採ることができる。
また、図９に例示したパネルＰを備えない本発明支持脚ユニットULの配置パターンでは、各ユニットULのＸ状をなす帯状結合体５が斜目格子状をなす態様で配置されることとなる。
【００２３】
上述のようにして床面上へ、パネルＰを備えた本発明支持脚ユニットが一つ飛びに配列されて市松模様状乃至千鳥格子状に配置される各支持脚ユニットULにおける並設支持脚体１，11・・・・には、図９，図10に例示するように、左右方向で結合並設されている各支持脚体１，11、同２，21、同３，31、同４，41の図１における上，下の外面側に、雌雄関係で結合乃至係合する連結部が形成されている。
【００２４】
即ち、上記の連結部は、図示した例では、上記脚ユニットULの左側の支持脚体１，11、同２，21と、右側の支持脚体３，31と同４，41とにおいて、平面視大略逆凸状の雄部材7aと、その雄部材7aを前方から抱持する壁付きの平面視略凹状をなす雌部材7bとが、各支持脚体における前後方向の外面に設けられている。ここで、１つペアの支持脚体１，11・・・・に、それぞれ雄と雌の部材7aと7bを設けているのは、対面する一対の支持脚部材４，41・・・・との間で、対称的な雌雄関係の結合をすることにより、より強固で確実な結合を実現するためである。
上記連結部の構成（雌雄部材7a，7b）によって、市松模様状乃至千鳥格子状に配置される各支持脚ユニットULは、図６，図７に示した例では、一方の脚ユニットULにおける支持脚体３，31の雄部材7aと雌部材7bとが、他方の脚ユニットULにおける支持脚体１，２の雌部材7bと雄部材7aとが、夫々に上から係合（又は嵌合）して、両脚ユニットUL同士の結合（又は連結）がなされることになる。
本発明では、上記雌雄部材7aと7bを、断面Ｌ状と上下対称な倒立Ｌ状の係止部や平面ファスナの雌雄部材などに代替することができる。
【００２５】
本発明では、図13の平面図に示すように、床パネルＰの下面四隅を支持脚体１〜４に載せ、各支持脚体１〜４とこれらと並設された支持脚体11〜41がなす隙間ｇに、パネルＰの立壁状側縁を挿入して保持舌片６に支持させることにより１枚のパネルＰをセットした本発明支持脚ユニットULの複数個を、図11に例示するように、パネルＰが１つ飛びで市松模様状乃至千鳥格子状をなすように配置しつつ、１つ飛びで配置された各脚ユニットUL同士における対面した連結部の各雌，雄部材7a，7bを互に係合させて、この図11に例示するように二重床を形成したい建物の床上に配置する。
【００２６】
床パネルＰを備えた支持脚ユニットULを、図11のように、千鳥格子状に配置した状態では、各脚ユニットULが一体に結合して備えている外側の支持脚体11〜41には、未だ床パネルＰが載置されていない。つまり、床パネルＰは１つ飛びで並んだ状態にある。そこで、空いている各々の支持脚体11〜41に床パネルＰを載置し、各パネルＰの側縁を隙間ｇに支持させると、保持舌片６が、後から挿入されるパネルＰの側縁によって切り離されるか又は変形させられることにより、各パネルＰの２つの側縁を一つの隙間ｇに挟持させて、本発明による置敷きタイプの床パネルＰの敷設を行う。
【００２７】
上記例は、本発明支持脚ユニットULが、床パネルＰをセットした状態で、その床パネルＰが１つ飛びにあるように当該脚ユニットULを市松模様状乃至千鳥格子状に配置し、格子状に空いている空所（支持脚体11〜41がある部分）に、床パネルＰを載置して行く施工例であるが、パネルＰをセットした支持脚ユニットULの千鳥格子状（又は市松模様状）の敷設においては、図11の例では、その図の左右側のエンド側において未だパネルが敷設されていない空所（図11の符号ｅで示す箇所）は、支持脚体１〜４，及び、同11〜41のいずれもが、図11におけるパネルＰの左サイド側（と右サイド側）に無いため、図11の例では、左右側エンドの４つの空所ｅにパネルＰを載置できない。
【００２８】
そこで本発明では、上記左右側エンドの空所ｅにおいて、そこに設置されるパネルＰの左側（と右側）の側縁を係止して支持できる断面略Ｕ状の係止部8bを側立壁8aに形成したエンドチャンネル８を、用いることとした（図16参照）。
すなわち、エンドチャンネル８は、図16に例示したように、パネルＰをセットした本発明支持脚ユニットULの複数個を、市松模様状乃至千鳥格子状をなすように、互に連結して配置したとき、配設された支持脚ユニットULにおける左サイド側端（エンド）と右サイド側端（エンド）のパネル１枚おきに生じる支持脚体（１〜４又は同11〜41）が存在しない空所ｅに設置されるパネルＰの側縁を支持するための係止部8bを具備していると共に、配置された脚ユニットULにおいて左右サイドの側端（エンド）の外側に位置して利用されない脚体11〜41（図11の左端側と右端側を参照）を覆うためのものである。
【００２９】
図16に示したエンドチャンネル８は、長さ方向で４等分の長さ単位で切り離すことを可能にした３箇所の切断可能部8dを備えていると共に、断面からみて倒立した略凹状に形成されている。なお、２区分長さの単位で、一方側の側壁8aには、２個の係止部8bを、他方側の側壁には前記２個の係止部8bに対応した位置に小孔8cが設けられている。また、当該チャンネル８において、一方の２区分単位の長さ部分と、他方の該当部分とにおける係止部8bと小孔8cは、左右の側壁8aに関して対称的に設けられている。その理由は、図16の敷設した左右側エンドにおいて、パネルＰが存在する部位には、小孔8cを備えた一方の側壁8aが位置し、パネルＰがない空所ｅの部位には、係止部8bを備えた他方の側壁8aが位置付けられるようにするためである。
【００３０】
本発明においては、上記エンドチャンネル８を用いないで、上記に説明した使用されないためエンドチャンネル８でカバーした支持脚体11〜41を、支持脚体１〜４から切り離し、前記空所ｅに無かった支持脚体として配置し、パネルＰの支持脚体として利用するようにしてもよい。このような利用形態をとれば、エンドチャンネル８は不要になる。
【００３１】
本発明における二重床パネルの置敷きにおいては、パネルＰをセットしない支持脚ユニットULだけを、一例として図12に示すように、各ユニットULのＸ字状をなす帯状連結体５が斜目格子状に並ぶように、各ユニットULの連結部（雌雄部材7a，7b）を相互に結合させて配置し、それから各支持脚体１〜４、同11〜41に床パネルＰを載置していく施工法を採ることもできる。
【産業上の利用可能性】
【００３２】
本発明は以上の通りであって、置敷き式床パネルの四隅に配置される支持脚を、結合体を介して連結一体化することにより支持脚ユニットに形成すると共に、各支持脚体が、他の支持脚体と相互の外側面において結合できるように形成してユニット化したので、支持脚ユニットを１つ飛びで千鳥格子状をなすように連結しつつ配置するだけで、全ての床パネルの四隅を支持する支持脚を、少ない作業工程で配置することができる。また、支持脚ユニット同士は、一つ飛びで配置されるとき、対面する各支持脚体同士がそれらの連結部で連結されるから配置した支持脚体が動くことはなく、従って、配置した支持脚全体の位置精度を保持できることとなり、作業工数や設置精度において問題があった置敷きの床パネルの支持脚を、合理的かつ省力的に位置精度高く配置することができる。
【００３３】
これにより、二重床を形成するための床パネルの敷設も、支持脚ユニットの複数個を、各支持脚ユニットにおける帯状結合体がなす各対角線を一直線をなすように並べて配置する工程と、この配置の際に各支持脚ユニット同士において対向当接する支持脚体同士を雌雄関係により連結する工程と、該工程により規則的に配置された４つを一組とする各支持脚体に１枚の床パネルを載架支持させる工程とによって施工できるので、床パネルの敷設工事における支持脚の配置と床パネルの設置を省力的かつ高い位置精度で施工できるという効果が得られる。
【図面の簡単な説明】
【００３４】
【図１】本発明支持脚ユニットの一例の平面図。
【図２】図１の脚ユニットの正面図。
【図３】図１の脚のユニットの右側面図。
【図４】一対（ペア）に形成された本発明支持脚ユニットにおける支持脚体の拡大平面図。
【図５】図４の正面図。
【図６】図４の縦断正面図。
【図７】図４〜図６の支持脚体にパネルを１枚セットした状態の正断面図。
【図８】図７の支持脚体に２枚のパネルをセットして保持舌片が変形した状態の正断面図。
【図９】対面した支持脚体同士を結合するための構造を例示した拡大平面図。
【図１０】図９の支持脚体同士が結合した例の拡大平面図。
【図１１】床パネルをセットした図１の支持脚ユニットの敷設パターンの一例を示す平面図。
【図１２】床パネルをセットしない支持脚ユニットの配置パターンの例を示す平面図。
【図１３】図１の支持脚ユニットに１枚の床パネルを載置セットした状態の平面図。
【図１４】図13の正面図。
【図１５】図13の右側面図。
【図１６】エンドチャンネルとその使用例を示す斜視図。
【図１７】図16におけるＡ−Ａ矢視拡大断面図。
【符号の説明】
【００３５】
UL                  床パネルの支持ユニット
１，２，３，４      支持脚体
11，21，31，41      並設した支持脚体
1a〜4a，11a〜41a    緩衝部
５                  帯状結合体
６                  保持舌片
7a                  雄部材
7b                  雌部材
８                  エンドチャンネル
【図１】
2008121299.tif 000003
【図２】
2008121299.tif 000004
【図３】
2008121299.tif 000005
【図４】
2008121299.tif 000006
【図５】
2008121299.tif 000007
【図６】
2008121299.tif 000008
【図７】
2008121299.tif 000009
【図８】
2008121299.tif 000010
【図９】
2008121299.tif 000011
【図１０】
2008121299.tif 000012
【図１１】
2008121299.tif 000013
【図１２】
2008121299.tif 000014
【図１３】
2008121299.tif 000015
【図１４】
2008121299.tif 000016
【図１５】
2008121299.tif 000017
【図１６】
2008121299.tif 000018
【図１７】
2008121299.tif 000019